(57)【要約】    【課題】  着用したまま、指先を用いて細かな作業を行うことができる、手袋として、例えば、指収容部を備え、該指収容部に、指先の出し入れが可能とされたスリットが形成された手袋が提案されている。しかしながら、斯かる手袋は、指の動きが妨げられてしまうという問題を有している。そこで、本発明の課題は、作業性及び防寒性の双方に優れた手袋を提供することにある。    【解決手段】  指を収容する指収容部（５０）を備えた手袋であって、  該指収容部（５０）の先端側には、爪を被覆する爪部（５４）が備えられ、且つ少なくとも指頭の爪先側が露出されるように開口部（５３）が設けられてなることを特徴とする手袋を提供する。【選択図】  図１
2010013767.tif 000002
【特許請求の範囲】
【請求項１】
指を収容する指収容部を備えた手袋であって、
該指収容部の先端側には、爪を被覆する爪部が備えられ、且つ少なくとも指頭の爪先側が露出されるように開口部が設けられてなることを特徴とする手袋。
【請求項２】
前記指収容部は、爪を露出させるべく折り返されて前記爪部が裏向きで基端側に重なることができるように形成されてなることを特徴とする請求項１記載の手袋。
【発明の詳細な説明】
【技術分野】
【０００１】
本発明は、着用したまま、指先を用いて細かな作業を行うことができる手袋に関する。
【背景技術】
【０００２】
この種の手袋としては、例えば、指を収容する指収容部を備え、該指収容部には、第二関節よりも先の指先全体が露出されるように開口部が設けられてなる手袋が用いられている（例えば、特許文献１）。
【０００３】
しかるに、斯かる手袋は、冬期等の使用において、指先が露出してしまう分指先が冷えてしまい、防寒性が乏しいという問題を有している。
【０００４】
斯かる観点から、指収容部を備え、該指収容部に、指先の出し入れが可能とされたスリットが形成された手袋も提案されている（例えば、特許文献２）。斯かる手袋は、例えば、特許文献２の如く、指収容部に、指先を収容する、スリットより上側の指先収容部が設けられてなり、通常時においては、図４（ａ）に示すように、指先収容部１０１で指先を収容して、防寒性を高めるように構成されてなり、また、作業時においては、図４（ｂ）に示すように、この手袋の着用者がスリット１０２から指先を露出させ、指先収容部１０１を手の甲側の指先の方に移動して、作業性の向上が図られるように構成されてなる。
【０００５】
【特許文献１】特開２００５−４２２５１号公報
【特許文献２】特開２００１−３２１１３号公報
【発明の開示】
【発明が解決しようとする課題】
【０００６】
しかしながら、斯かる手袋は、作業をしようとする度に、この手袋の着用者がスリット１０２から指先を露出させ、指先収容部１０１を手の甲側の指先の方に移動する必要があるため、手間がかかるという問題を有し、また、指先収容部１０１によって、指の動きが妨げられてしまうという問題も有している。
すなわち、斯かる手袋は、作業性が乏しいという問題を有している。
【０００７】
本発明の課題は、上記問題点に鑑み、作業性及び防寒性の双方に優れた手袋を提供することにある。
【課題を解決するための手段】
【０００８】
本発明は、指を収容する指収容部を備えた手袋であって、
該指収容部の先端側には、爪を被覆する爪部が備えられ、且つ少なくとも指頭の爪先側が露出されるように開口部が設けられてなることを特徴とする手袋を提供する。
【０００９】
斯かる手袋によれば、該指収容部の先端側には、爪を被覆する爪部が備えられ、且つ少なくとも指頭の爪先側が露出されるように開口部が設けられてなることにより、この手袋の着用者が手袋を着用したまま直接指先を使って作業することができるため、例えば、釣りの際の餌付け等の細かな作業が行いやすく、また、手の甲側の指先が被覆されるため、防寒性も維持される。
【００１０】
尚、本発明に於いて、「爪を被覆する」とは、手を開いた時に少なくとも爪の一部を被覆することをいう。
また、本発明に於いて、指頭とは、第一関節のよりも指先側の掌側の部分のことをいう。
【００１１】
また、本発明に係る手袋は、好ましくは、前記指収容部が、爪を露出させるべく折り返されて前記爪部が裏向きで基端側に重なることができるように形成されてなる。
【００１２】
斯かる手袋によれば、この手袋の着用者が前記指収容部を折り返して前記爪部を裏向きで基端側に重ねることにより、指先の動作の自由度が増すため、要時において作業性がより一層高まるという利点がある。
【発明の効果】
【００１３】
以上のように、本発明によれば、作業性及び防寒性の双方に優れた手袋を提供することができる。
【発明を実施するための最良の形態】
【００１４】
以下、添付図面を参照しつつ、本発明の一実施形態について説明する。図１は、本実施形態に係る手袋の正面図であり、図２は、本実施形態に係る手袋の背面図である。
【００１５】
本実施形態に係る手袋１は、図１、図２に示すように、掌を被覆する掌部２０と、手の甲を被覆する甲部３０と、手首を被覆する手首部４０と、指を収容する指収容部５０とを備えてなる。
【００１６】
掌部２０、甲部３０、手首部４０、及び指収容部５０は、伸縮可能な伸縮布部材で構成されてなる。
該伸縮布部材を構成する材料としては、特に限定されるものではないが、例えば、ポリウレタン等の樹脂や、クロロプレンゴム等のゴム等が挙げられる。
【００１７】
指収容部５０は、親指、人差し指、中指、薬指、及び小指をそれぞれ収容する親指収容部５０ａ、人差し指収容部５０ｂ、中指収容部５０ｃ、薬指収容部５０ｄ、及び小指収容部５０ｅを備えてなる。
【００１８】
また、各指収容部５０ａ、５０ｂ、５０ｃ、５０ｄ、５０ｅは、それぞれ掌側の指を被覆する掌側指被覆部５１ａ、５１ｂ、５１ｃ、５１ｄ、５１ｅと、甲側の指を被覆する甲側指被覆部５２ａ、５２ｂ、５２ｃ、５２ｄ、５２ｅとを備えてなり、それぞれの掌側指被覆部５１ａ、５１ｂ、５１ｃ、５１ｄ、５１ｅと甲側指被覆部５２ａ、５２ｂ、５２ｃ、５２ｄ、５２ｅとが合掌状態に重ねられ縫着されて、指を収容するように形成されてなる。
【００１９】
親指収容部５０ａ、人差し指収容部５０ｂ、中指収容部５０ｃのみの各先端側には、爪を被覆する爪部５４ａ、５４ｂ、５４ｃがそれぞれ備えられ、且つ指頭の爪先側が露出されるように開口部５３ａ、５３ｂ、５３ｃがそれぞれ設けられてなる。
【００２０】
親指収容部５０ａ、人差し指収容部５０ｂ、中指収容部５０ｃは、図３（ａ）に示すように、それぞれ指収容部５０ａ、５０ｂ、５０ｃの軸に対して開口部５３ａ、５３ｂ、５３ｃの開口縁が斜めとなるように形成されてなる。
【００２１】
また、親指収容部５０ａ、人差し指収容部５０ｂ、中指収容部５０ｃは、それぞれ開口縁の掌側の中央部分が基端側に向けて凹む凹状の曲線をなすように形成されてなる。
【００２２】
さらに、親指収容部５０ａ、人差し指収容部５０ｂ、中指収容部５０ｃは、それぞれ爪を露出させるべく折り返されて爪部５４ａ、５４ｂ、５４ｃが裏向きで基端側に重なることができるように形成されてなる。
【００２３】
掌部２０及び掌側指被覆部５１ａ、５１ｂ、５１ｃ、５１ｄ、５１ｅは、連続する一枚のシートで形成されてなる。
【００２４】
甲部３０及び甲側親指被覆部５２ａは、連続する一枚のシートで形成されてなる。
【００２５】
甲部３０と、甲側人差し指被覆部５２ｂ、甲側中指被覆部５２ｃ、甲側薬指被覆部５２ｄ、及び甲側小指被覆部５２ｅとは、縫合されてなる。
【００２６】
手首部４０、掌部２０、及び甲部３０は縫合されてなり、手首部４０には、手を挿入するための手挿入口４１が形成されてなる。
【００２７】
手首部４０は、手首部本体４２と、手首部本体４２の片側縁下端から下端縁に沿って延設された手首片４３とを備え、手首部本体４２には、手首部本体面ファスナー４４が設けられ、また、手首片４３の先端側には、手首片面ファスナー（図示せず）が設けられてなる。
また、手首部４０は、手首部本体面ファスナー４４と、手首片面ファスナーとが係合することにより、手挿入口４１が縮径されるように構成されてなる。
【００２８】
本実施形態に係る手袋は、上記のように構成されてなるので、以下の利点を有するものである。すなわち、本実施形態に係る手袋１は、指収容部５０の先端側に、爪を被覆する爪部５４が備えられ、且つ指頭の爪先側が露出されるように開口部５３が設けられてなることにより、この手袋の着用者が、手袋を着用したまま直接指先を使って作業することができるため、例えば、釣りの際の餌付け等の細かな作業が行いやすく、また、手の甲側の指先が被覆されているため、防寒性も維持される。
【００２９】
また、本実施形態に係る手袋１は、指収容部５０が、爪が露出されるべく折り返されて爪部５４が裏向きで基端側に重ねることができるように形成されてなることにより、この手袋の着用者が、図３（ｂ）に示すように、指収容部５０を折り返して爪部５４を裏向きで基端側に重ねることにより、指先の動作の自由度が増すため、要時において作業性がより一層高まるという利点がある。
【００３０】
さらに、本実施形態に係る手袋１は、指収容部５０が伸縮部材で構成されてなることにより、手袋の着用者が、指収容部５０を折り返して爪部５４を裏向きで基端側に重ねる際に、開口部５３を広げながら指収容部５０を折り返すことができるため、指収容部５０を折り返すことが容易となり、作業性がより一層高まるという利点がある。
【００３１】
また、本実施形態に係る手袋１は、開口縁の掌側の中央部分が基端側に向けて凹む凹状の曲線をなすように指収容部５０が形成されてなることにより、手袋の着用者が、指収容部５０を折り返して爪部５４を裏向きで基端側に重ねる際に、指収容部５０の先端側から滑らかに折り返すことができるため、作業性がより一層高まるという利点がある。
【００３２】
尚、本実施形態に係る手袋は、上記構成により、上記利点を有するものであったが、本発明に係る手袋は、上記構成に限定されず、適宜設計変更可能である。
【００３３】
例えば、本実施形態に係る手袋は、親指収容部５０ａ、人差し指収容部５０ｂ、中指収容部５０ｃのみの先端側に、爪部５４ａ、５４ｂ、５４ｃがそれぞれ備えられ、且つ指頭の爪先側が露出されるように開口部５３ａ、５３ｂ、５３ｃがそれぞれ設けられてなるが、本発明に係る手袋は、薬指収容部や小指収容部の先端側にも、爪部が備えられ、且つ指頭の爪先側が露出されるように開口部が設けられてもよい。
【００３４】
また、本実施形態に係る手袋は、開口部５３が、指頭の爪先側が露出されるように形成されてなるが、本発明に係る手袋は、指収容部に爪部が備えられていれば、例えば、開口部が、掌側の第二関節から先が露出するように形成されてもよい。
【００３５】
さらに、本実施形態に係る手袋は、指収容部５０が、指収容部５０の軸に対して開口部５３の開口縁が斜めとなるように形成されてなるが、本発明に係る手袋は、開口部の開口縁が同一平面上にないような形状であってもよい。
【００３６】
さらに、本実施形態に係る手袋は、開口縁の掌側の中央部分が基端側に向けて凹む凹状の曲線をなすように指収容部が形成されてなるが、本発明に係る手袋は、開口縁の掌側の中央部分が指の関節の方向と略平行な直線となるように形成されてもよい。
【図面の簡単な説明】
【００３７】
【図１】一実施形態に係る手袋の正面図。
【図２】一実施形態に係る手袋の背面図。
【図３】一実施形態に係る手袋の指収容部の側面図。
【図４】従来技術に係る手袋を掌側から見た図。
【符号の説明】
【００３８】
１：手袋、５０：指収容部、５３：開口部、５４：爪部
【図１】
2010013767.tif 000003
【図２】
2010013767.tif 000004
【図３】
2010013767.tif 000005
【図４】
2010013767.tif 000006